(57)【特許請求の範囲】
【請求項１】
虫を誘引する誘引手段と、この誘引手段を支持するフレームと、帯状の基材シートの一方の面に積層された接着剤層を有する捕虫シートと、この捕虫シートを前記フレームに取り付けるための取付手段とを備え、
前記取付手段は、前記フレームに設けられるとともに、捕虫シートの長手方向一端側を保持可能な保持手段と、捕虫シートの長手方向他端側をフレームとの間に挟み込み可能な挟持手段とを備え、当該挟持手段は、前記フレームに着脱自在な部材により構成されていることを特徴とする捕虫器。
【請求項２】
前記取付手段は、捕虫シートの長手方向中間部であって短手方向両端側をフレームとの間に挟み込み可能に設けられた補助挟持手段を更に備えていることを特徴とする請求項１記載の捕虫器。
【請求項３】
前記取付手段は、前記捕虫シートが誘引手段を囲む異なる２面に位置するように当該捕虫シートをフレームに巻き付け可能に設けられていることを特徴とする請求項１又は２記載の捕虫器。
【請求項４】
前記フレームには、捕虫シートの短手方向両端に沿って位置する突出部が設けられていることを特徴とする請求項１、２又は３記載の捕虫器。
【発明の詳細な説明】
【技術分野】
【０００１】
本発明は、捕虫器に係り、更に詳しくは、捕虫シートを保持して利用することができる捕虫器に関する。
【背景技術】
【０００２】
従来より、例えば、食品や粘着シート、精密機械等の製品に虫が混入することを防止するために捕虫器が利用されている（特許文献１参照）。特許文献１の捕虫器は、フレームの上下両側にそれぞれ設けられたフックと、上下に延びる帯状の捕虫シートとを備えている。この捕虫シートの上下両側には、孔がそれぞれ設けられ、これらの孔をフックに挿通することで、捕虫シートが前記フレームに取り付けられる。
【０００３】
【特許文献１】特開２００２−１５６号公報
【発明の開示】
【発明が解決しようとする課題】
【０００４】
しかしながら、特許文献１の捕虫器にあっては、捕虫シートの上下両側すなわち長手方向両側がフックにより保持されているので、特に捕虫シートの下端側がばたつき易くなり、当該捕虫シートが意図しない部位に接着して汚れたり、当該汚れを洗浄する手間がある、という不都合を招来する。
【０００５】
［発明の目的］
本発明は、このような不都合に着目して案出されたものであり、その目的は、使用中に捕虫シートがばたつくことを防止することができる捕虫器を提供することにある。
【課題を解決するための手段】
【０００６】
前記目的を達成するため、本発明は、虫を誘引する誘引手段と、この誘引手段を支持するフレームと、帯状の基材シートの一方の面に積層された接着剤層を有する捕虫シートと、この捕虫シートを前記フレームに取り付けるための取付手段とを備え、
前記取付手段は、前記フレームに設けられるとともに、捕虫シートの長手方向一端側を保持可能な保持手段と、捕虫シートの長手方向他端側をフレームとの間に挟み込み可能な挟持手段とを備え、当該挟持手段は、前記フレームに着脱自在な部材により構成される、という構成を採っている。
【０００８】
本発明において、前記取付手段は、捕虫シートの長手方向中間部であって短手方向両端側をフレームとの間に挟み込み可能に設けられた補助挟持手段を更に備える、という構成が好ましくは採用される。
【０００９】
また、前記取付手段は、前記捕虫シートが誘引手段を囲む異なる２面に位置するように当該捕虫シートをフレームに巻き付け可能に設けられる、という構成を採ることが好ましい。
【００１０】
更に、前記フレームには、捕虫シートの短手方向両端に沿って位置する突出部が設けられるとよい。
【発明の効果】
【００１１】
本発明によれば、捕虫シートの長手方向他端側が挟持手段により取り付けられるので、例えば、捕虫シートの前記他端を下端として捕虫シートを上下方向に沿って取り付けた場合、当該下端側がばたつくことを回避することができる。これにより、従来のように捕虫シートの接着剤層が意図することなくフレームやその他の部位に接着して汚してしまうことを防止することが可能となる。
【００１２】
また、補助挟持手段により捕虫シートの長手方向中間部を挟み込み可能としたので、当該中間部のばたつきも抑制でき、捕虫シートの取り付け状態をより良く維持することが可能となる。
【００１３】
更に、取付手段により捕虫シートが誘引手段を囲む異なる２面に位置するようにフレームに巻き付け可能となっているので、１枚のシートにより、接着剤層による捕虫可能な面積を広く確保することができる。
【００１４】
また、捕虫シートの短手方向両端に沿う位置に突出部を設けたので、捕虫シートの短手方向の位置ずれを規制することができる。特に、捕虫器を横向きに使用するときに、突出部がガイドとして作用して捕虫シートが下方にずり落ちることを抑制することができる。更に、捕虫シートをフレームに巻き付けるとき、突出部をガイドとして利用でき、当該巻き付けの作業性を向上させることが可能となる。
【発明を実施するための最良の形態】
【００１５】
以下、本発明の好ましい実施の形態について図面を参照しながら説明する。
なお、本明細書の方向若しくは位置を示す用語は、特に明示しない限り、図１中矢印Ａ方向から見た場合を基準とし、「前」とは矢印Ａ方向から見た場合の手前側を示す一方、「後」とは、同奥行き側について用いられ、「左」「右」も同様に矢印Ａ方向から見た場合を基準とする。
【００１６】
図１には、実施形態に係る捕虫器の概略斜視図が示され、図２には、その分解斜視図が示されている。これらの図において、捕虫器１０は、虫を誘引する誘引手段１１と、この誘引手段１１を支持するフレーム１２と、このフレーム１２の前後両側にそれぞれ設けられる帯状の捕虫シート１３と、この捕虫シート１３をフレーム１２に取り付けるための取付手段１４とを備えて構成されている。
【００１７】
前記誘引手段１１は、図示しない電力源に接続される蛍光灯１６により構成され、フレーム１２の内部で支持されている。なお、蛍光灯１６は、虫を誘引可能な波長の光、例えば紫外線を発光するものが好ましい。
【００１８】
前記フレーム１２は、前後に開口１８を有する箱状に形成されている。具体的には、左右一対の側面フレーム１９と、前後両側にそれぞれ設けられ、開口１８が形成された前面フレーム２１及び後面フレーム２２と、上下両側にそれぞれ設けられた上面フレーム２３及び下面フレーム２４とからなる。フレーム１２は、後述するマグネットが着脱できるように着磁性を有する金属等の素材により構成されるが、マグネット以外の、例えば、クリップ等で捕虫シート１３を取り付ける場合は、着磁性を有する金属で構成する必要はない。また、前、後面フレーム２１、２２の左右両側には、側面フレーム１９が延長されたように突出部２６がそれぞれ設けられ、それら突出部２６の相対面間距離は、捕虫シート１３の左右幅と略同一に設定され、捕虫シート１３の短手方向の位置ずれを規制することができるようになっている。底面フレーム２４には、脚部材２７が取り付けられ、この脚部材２７により捕虫器１０全体が自立可能となっている。
【００１９】
前記捕虫シート１３は、図３に示されるように、帯状の基材シート２９の一方の面に接着剤層３０が積層されている。基材シート２９の短手方向両端すなわち左右両端側には、接着剤層３０を積層しない第１の非接着領域３１が設けられている。基材シート２９の長手方向一端側すなわち上端側には、厚紙等で構成される剛性を有する引掛シート３２が設けられている。また、引掛シート３２には、左右一対の孔３４が設けられている。各孔３４は、丸孔部３４Ａと、この丸孔部３４Ａの上方に連なる長孔部３４Ｂとからなり、いわゆるだるま孔となっている。基材シート２９の下端側には、シート３５を設けることで第２の非接着領域３６が形成されている。シート３５は、前記引掛シート３２と同素材としてもよいし、異なる素材により構成してもよい。
【００２０】
前記取付手段１４は、前、後面フレーム２１、２２における開口１８の上方に設けられた保持手段３９と、捕虫シート１３の下端側に設けられた挟持手段４０と、捕虫シート１３の長手方向すなわち上下方向中間部に設けられた補助挟持手段４１とを備えている。
【００２１】
前記保持手段３９は、先端に大径部が形成された左右一対のフック部材４２からなり、各フック部材４２に孔３４を挿通することで捕虫シート１３の上端側を保持するようになっている。フック部材４２の大径部の寸法は、丸孔部３４Ａの寸法より小さく、且つ、長孔部３４Ｂの左右幅より大きく形成されている。また、フック部材４２の基部の寸法は、長孔部３４Ｂの左右幅と同一又は若干大きく形成されている。
【００２２】
前記挟持手段４０及び補助挟持手段４１は、マグネット４０Ａ、４１Ａによりそれぞれ構成され、その磁性によりフレーム１２に着脱自在に設けられている。挟持手段４０のマグネット４０Ａは、基材シート２９の第１の非接着領域３１を利用して、捕虫シート１３を前、後面フレーム２１、２２に取り付け可能に設けられている。また、マグネット４１Ａは、第２の非接着領域３６を利用して、捕虫シート１３を前、後面フレーム２１、２２に取り付け可能に設けられている。
【００２３】
前記フレーム１２へ捕虫シート１３を取り付ける場合は、フック部材４２に引掛シート３２の丸孔部３４Ａを挿通した後、捕虫シート１３を下方にずらす。その後、第１及び第２の非接着領域３１、３６にマグネット４０Ａ、４１Ａを装着することで捕虫シート１３の取り付けが完了する。この状態で、捕虫シート１３の左右両側に沿って突出部２６が位置するので、捕虫シート１３の面方向の移動やずれを規制することが可能となる。
【００２４】
前記捕虫器１０は、蛍光灯１６を発光させると、その光は、基材シート２９及び接着剤層３０を透過して外部に発せられる。すると、その光に誘引されて虫が蛍光灯１６に向かって飛来し、接着剤層３０に接触した虫が当該接着剤層３０に接着されて捕獲される。
【００２５】
従って、このような実施形態によれば、捕虫シート１３の下端側がマグネット４０Ａによってフレーム１２に取り付けられるので、捕虫シート１３がばたついたり捲れたりすることを防止することができる。これにより、接着剤層３０が他の部位や周辺の装置に付着することを回避でき、取扱性を向上させることが可能となる。また、フック部材４２に孔３４を引っ掛けた後、基材シート２９を下方に引っ張りながらマグネット４０Ａ、４１Ａを装着することで、捕虫シート１３が弛むことを効果的に抑制することができる。更に、誘引されて飛来した虫が、捕虫シート１３のばたついた隙間からフレーム１２の内部に進入して捕虫できなくなることを防止することもできる。
【００２６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
例えば、捕虫器１０の設置箇所は、種々の変更が可能であり、脚部材２７を省略して壁面等に取り付けたり、図４に示されるように、吊るし部材４５を介して上方から吊り下げてもよい。上方から吊り下げる場合、捕虫器１０を横向きとし、吊るし部材４５を側部フレーム１９に取り付ける。また、同図の構造では、後部フレーム２２のフック部材４２を省略し、フレーム１２の前方から後方に１枚の捕虫シート１３を巻き付けるように取り付け、前、後面フレーム２１、２２の複数個所にマグネット４０Ａで捕虫シート１３を取り付けている。このように捕虫器１０を横向きに使用するときには、各突出部２６がガイドとして作用し、捕虫シート１３が下方にずり落ちることを抑制することが可能となる。
【００２８】
また、前記保持手段３９は、捕虫シート１３の長手方向一端側を保持できる限りにおいて、種々の変更が可能であり、マグネットやクリップ等を採用して捕虫シート１３を保持するようにしてもよい。更に、挟持手段４０及び補助挟持手段４１は、マグネット４０Ａ、４１Ａに限定されるものでなく、捕虫シート１３を挟み込み可能なクリップや押さえ部材等の構成等を採用してもよい。補助挟持手段４１は、接着テープを採用してもよく、接着テープとしては、公知のものを使用することができ、特に限定されるものではなく、接着テープで捕虫シート１３を取り付ける場合、捕虫シート１３の第１及び第２の非接着領域３１、３６とフレーム１２とに跨るように接着テープを貼付するようにすればよい。また、捕虫シート１３のフレーム１２に面する部分に両面接着テープを貼付して取り付けるようにしてもよい。
【００２９】
また、前記第２の非接着領域３６は、図５に示されるように、シート３５を省略して接着剤層３０を積層しないことで形成してもよい。
【００３０】
また、誘引手段は、虫を誘引する作用を奏する限りにおいて種々の変更が可能であり、匂いや音等で誘引可能なものであってもよく、蛍光等１６に代替、若しくは、蛍光灯１６と併用することができる。また、前記蛍光灯１６に替え、環状の蛍光灯や電球、ＬＥＤ（発光ダイオード）等の他の発光源によって誘引手段を構成してもよい。
【図面の簡単な説明】
【００３１】
【図１】実施形態に係る捕虫器の概略斜視図。
【図２】図１の分解斜視図。
【図３】捕虫シートの断面図。
【図４】変形例に係る捕虫器の概略斜視図。
【図５】他の変形例に係る捕虫シートの部分概略斜視図。
【符号の説明】
【００３２】
１０  捕虫器
１１  誘引手段
１２  フレーム
１３  捕虫シート
１４  取付手段
２６  突出部
２９  基材シート
３０  接着剤層
３９  保持手段
４０  挟持手段
４１  補助挟持手段
【図１】
0005166057.tif 000002
【図２】
0005166057.tif 000003
【図３】
0005166057.tif 000004
【図４】
0005166057.tif 000005
【図５】
0005166057.tif 000006